(57)【要約】サスペンションの支持剛性を確保しつつ、車両における部品の配置の設計自由度を高めることができるストラドルドビークルを提供する。ストラドルドビークル１は、車両の前後方向にそれぞれ延びる左メインフレーム２０及び右メインフレーム３０と、リアサスペンション９が取り付けられるサスペンション取付部１６と、左メインフレーム２０とサスペンション取付部１６とを接続する左サスペンション支持部２５と、右メインフレーム３０とサスペンション取付部１６とを接続する右サスペンション支持部３５と、樹脂が繊維で強化された繊維強化樹脂を含み、左サスペンション支持部２５と右サスペンション支持部３５とを接続するように、左サスペンション支持部２５と右サスペンション支持部３５とに、着脱自在に取り付けられた接続部材４０と、を備える。
2018199010.tif 000002
【特許請求の範囲】
【請求項１】
ハンドルと、
前記ハンドルを回転可能に支持するステアリングシャフトと、
車輪と、
前記車輪を弾性支持するサスペンションと、
車両の前後方向にそれぞれ延びる左メインフレーム及び右メインフレーム、
前記ステアリングシャフトを支持するとともに、前記左メインフレームの前端部と前記右メインフレームの前端部とを接続する前部接続部、
前記左メインフレームの後端部と前記右メインフレームの後端部とを接続する後部接続部、
前記サスペンションが取り付けられるサスペンション取付部、
前記左メインフレームと前記サスペンション取付部とを接続する左サスペンション支持部、及び、前記右メインフレームと前記サスペンション取付部とを接続する右サスペンション支持部を含む車体フレームと、
樹脂が繊維で強化された繊維強化樹脂を含み、前記車体フレームに着脱自在に取り付けられ、前記左メインフレーム及び前記左サスペンション支持部の少なくとも一方と、前記右メインフレーム及び前記右サスペンション支持部の少なくとも一方とを接続する板状の繊維強化樹脂製左右接続板状部材と、
を備える、ストラドルドビークル。
【請求項２】
請求項１に記載のストラドルドビークルにおいて、
前記左メインフレーム及び前記右メインフレームは、前記前部接続部及び前記後部接続部以外の部分では、前記前後方向から見て直線的に且つ一体に接続されていない、ストラドルドビークル。
【請求項３】
請求項１または２に記載のストラドルドビークルにおいて、
前記繊維強化樹脂製左右接続板状部材は、前記前後方向において、少なくとも一部が、
前記左メインフレーム、前記右メインフレーム、前記左サスペンション支持部及び前記右サスペンション支持部のうち、前記前部接続部と前記サスペンション取付部との中間よりも該サスペンション取付部に近い第１領域、または、
前記左メインフレーム、前記右メインフレーム、前記左サスペンション支持部及び前記右サスペンション支持部のうち、前記後部接続部と前記サスペンション取付部との中間よりも該サスペンション取付部に近い第２領域に位置する、ストラドルドビークル。
【請求項４】
請求項１から３のいずれか一つに記載のストラドルドビークルにおいて、
前記繊維強化樹脂製左右接続板状部材は、前記前後方向において、前記前後方向における半分以上が、
前記左メインフレーム、前記右メインフレーム、前記左サスペンション支持部及び前記右サスペンション支持部のうち、前記前部接続部と前記サスペンション取付部との中間よりも該サスペンション取付部に近い第１領域、または、
前記左メインフレーム、前記右メインフレーム、前記左サスペンション支持部及び前記右サスペンション支持部のうち、前記後部接続部と前記サスペンション取付部との中間よりも該サスペンション取付部に近い第２領域に位置する、ストラドルドビークル。
【請求項５】
請求項１から４のいずれか一つに記載のストラドルドビークルにおいて、
前記繊維強化樹脂製左右接続板状部材は、前記前後方向において、
前記左メインフレーム、前記右メインフレーム、前記左サスペンション支持部及び前記右サスペンション支持部のうち、前記前部接続部と前記サスペンション取付部との中間よりも該サスペンション取付部に近い第１領域、または、
前記左メインフレーム、前記右メインフレーム、前記左サスペンション支持部及び前記右サスペンション支持部のうち、前記後部接続部と前記サスペンション取付部との中間よりも該サスペンション取付部に近い第２領域に位置する、ストラドルドビークル。
【請求項６】
請求項１から５のいずれか一つに記載のストラドルドビークルにおいて、
前記繊維強化樹脂製左右接続板状部材は、前記左サスペンション支持部と前記右サスペンション支持部とを接続する、ストラドルドビークル。
【請求項７】
請求項１から６のいずれか一つに記載のストラドルドビークルにおいて、
前記繊維強化樹脂製左右接続板状部材は、前記車両を構成する部品の少なくとも一部によって構成されている、ストラドルドビークル。
【請求項８】
請求項１から７のいずれか一つに記載のストラドルドビークルにおいて、
前記繊維強化樹脂製左右接続板状部材は、箱形の部品の一部によって構成されている、ストラドルドビークル。
【請求項９】
請求項１から８のいずれか一つに記載のストラドルドビークルにおいて、
前記繊維強化樹脂製左右接続板状部材は、前記繊維の方向が、前記車両の左右方向である、ストラドルドビークル。
【請求項１０】
請求項１から９のいずれか一つに記載のストラドルドビークルにおいて、
前記繊維強化樹脂製左右接続板状部材は、前記繊維として、厚み方向に積層された複数の繊維シートを含む、ストラドルドビークル。
【請求項１１】
請求項１から１０のいずれか一つに記載のストラドルドビークルにおいて、
前記繊維強化樹脂製左右接続板状部材は、
前記車両の左右方向における一方の端部が、前記車両の前後方向または上下方向に離れた少なくとも２箇所で、前記左メインフレーム及び前記左サスペンション支持部の少なくとも一方に接続され、
前記車両の左右方向における他方の端部が、前記車両の前後方向または上下方向に離れた少なくとも２箇所で、前記右メインフレーム及び前記右サスペンション支持部の少なくとも一方に接続されている、ストラドルドビークル。
【請求項１２】
請求項１１に記載のストラドルドビークルにおいて、
前記繊維強化樹脂製左右接続板状部材は、前記左メインフレーム及び前記左サスペンション支持部の少なくとも一方、及び、前記右メインフレーム及び前記右サスペンション支持部の少なくとも一方に対し、ボルトによって接続されている、ストラドルドビークル。
【発明の詳細な説明】
【技術分野】
【０００１】
本発明は、左右のメインフレームにサスペンションが取り付けられたストラドルドビークルに関する。
【背景技術】
【０００２】
左右のメインフレームにサスペンションが取り付けられた車両として、例えば特許文献１に開示される構成が知られている。この特許文献１には、左右のメインフレームを結合するセンタアッパクロスフレームに、リアクッション支持部を介してリアクッションの上端部が接続されたストラドルドビークルが開示されている。なお、前記リアクッションの長手方向における一端部（下端部）は、スイングアームに接続されている。【０００３】
前記特許文献１に開示されている構成では、左右のメインフレームを結合するセンタアッパクロスフレームによって、リアクッションを支持することにより、該リアクッションの支持剛性を高めることができる。
【先行技術文献】
【特許文献】
【０００４】
【特許文献１】特開２０１４−２３７３４７号公報
【発明の概要】
【発明が解決しようとする課題】
【０００５】
前記特許文献１に開示されている構成では、リアクッション（サスペンション）の支持剛性を確保することができる。しかしながら、サスペンションの支持剛性を確保するために、該サスペンションが接続されるセンタアッパクロスフレーム（クロスフレーム）の配置を優先する必要がある。そのため、車両において、他の部品の配置が制約を受けやすい。【０００６】
よって、サスペンションの支持剛性を確保しつつ、車両における部品の配置の設計自由度を高めることが求められている。【０００７】
本発明は、サスペンションの支持剛性を確保しつつ、車両における部品の配置の設計自由度を高めることができるストラドルドビークルを提供することを目的とする。
【課題を解決するための手段】
【０００８】
本発明者らは、特許文献１に開示されるようなクロスフレームの構成について詳細に検討した。【０００９】
この構成では、クロスフレームの剛性を利用して、サスペンションを支持している。本発明者らは、このような構成において、前記クロスフレームが、左メインフレーム及び右メインフレームの剛性確保と、サスペンションの支持剛性確保との２つの機能を有する点に着目した。【００１０】
前記クロスフレームの剛性を下げた場合、前記サスペンションに入力された力によって、左メインフレーム及び右メインフレームが車両の左右方向に開くように変形を生じる場合がある。このように、左メインフレーム及び右メインフレームの剛性が低下して、左メインフレーム及び右メインフレームが変形を生じた場合には、前記サスペンションの支持剛性も低下する。また、前記クロスフレームの剛性を下げた場合、前記サスペンションに入力された力によって、前記サスペンションを支持している前記クロスフレームが変形を生じる場合がある。このように、前記サスペンションを支持している前記クロスフレームが変形を生じると、前記サスペンションの支持剛性も低下する。【００１１】
これに対し、本発明者らは、部品の配置の設計自由度を高めるために、左メインフレーム及び右メインフレームの剛性確保という機能を有する部材と、サスペンションの支持剛性確保という機能を有する部材とを設けることを検討した。【００１２】
このように、左メインフレーム及び右メインフレームの剛性確保という機能を有する部材と、サスペンションの支持剛性確保という機能を有する部材とを設けることにより、サスペンションの支持位置の設計自由度を向上できるとともに、他の部品の配置の設計自由度を向上できる。【００１３】
一方、メインフレームの剛性を確保するためには、左メインフレームと右メインフレームとを接続する剛性部材が必要である。しかしながら、前記剛性部材が、他の部品の配置に影響を与えないようにする必要がある。【００１４】
本発明者らは、部品の配置やフレーム等の構成を検討する中で、前記剛性部材を繊維強化樹脂製の板状にしつつ着脱自在の部材にすることで、他の部品の配置への影響を抑制しつつ、左メインフレーム及び右メインフレームの剛性を確保できることを見出した。すなわち、前記剛性部材を繊維強化樹脂製の板状にしつつ着脱自在の部材にすることで、左メインフレーム及び右メインフレームの剛性を確保しつつ、車両における部品の配置の設計自由度を高めることができる。また、上述のように前記板状の部材を繊維強化樹脂製にすることにより、形状の設計自由度を高めることができるとともに、前記板状の部材の強度を高めることもできる。【００１５】
ところで、左メインフレーム及び右メインフレームとサスペンション取付部とをそれぞれ接続する左サスペンション支持部及び右サスペンション支持部に求められる主な機能としては、サスペンションの支持剛性の確保である。上述のように左メインフレーム及び右メインフレームの剛性確保という機能を有する部材とサスペンションの支持剛性確保という機能を有する部材とを設けることにより、サスペンションの支持剛性を確保しつつ、左サスペンション支持部及び右サスペンション支持部の形状及びサスペンションの取付位置の設計自由度を向上させることが可能になる。【００１６】
したがって、上述のように、左メインフレーム及び右メインフレームの剛性確保という機能を有する部材とサスペンションの支持剛性確保という機能を有する部材とを設けるとともに、左メインフレームと右メインフレームとを接続する剛性部材を繊維強化樹脂製の板状にしつつ着脱自在の部材にすることにより、サスペンションの支持剛性を確保しつつ、車両における部品の配置の設計自由度を高めることができる。【００１７】
上述のような検討結果に基づいて、本発明者らは、以下のような構成に想到した。【００１８】
本発明の一実施形態に係るストラドルドビークルは、ハンドルと、前記ハンドルを回転可能に支持するステアリングシャフトと、車輪と、前記車輪を弾性支持するサスペンションと、車両の前後方向にそれぞれ延びる左メインフレーム及び右メインフレーム、前記ステアリングシャフトを支持するとともに、前記左メインフレームの前端部と前記右メインフレームの前端部とを接続する前部接続部、前記左メインフレームの後端部と前記右メインフレームの後端部とを接続する後部接続部、前記サスペンションが取り付けられるサスペンション取付部、前記左メインフレームと前記サスペンション取付部とを接続する左サスペンション支持部、及び、前記右メインフレームと前記サスペンション取付部とを接続する右サスペンション支持部を含む車体フレームと、樹脂が繊維で強化された繊維強化樹脂を含み、前記車体フレームに着脱自在に取り付けられ、前記左メインフレーム及び前記左サスペンション支持部の少なくとも一方と、前記右メインフレーム及び前記右サスペンション支持部の少なくとも一方とを接続する板状の繊維強化樹脂製左右接続板状部材と、を備える。【００１９】
これにより、剛性部材としての繊維強化樹脂製左右接続板状部材を、車体フレームに対して、着脱自在に且つ自由に配置できる。また、前記繊維強化樹脂製左右接続板状部材を板状に形成することで、前記繊維強化樹脂製左右接続板状部材をコンパクトに配置できるため、他の部品の配置の設計自由度を向上できる。しかも、前記繊維強化樹脂製左右接続板状部材によって、左メインフレーム及び左サスペンション支持部の少なくとも一方と、右メインフレーム及び右サスペンション支持部の少なくとも一方とを接続することにより、サスペンション取付部におけるサスペンションの支持剛性を向上できる。【００２０】
したがって、上述の構成により、サスペンションの支持剛性を向上しつつ、他の部品の配置の設計自由度を向上できる。【００２１】
他の観点によれば、本発明のストラドルドビークルは、以下の構成を含むことが好ましい。前記左メインフレーム及び前記右メインフレームは、前記前部接続部及び前記後部接続部以外の部分では、前記前後方向から見て直線的に且つ一体に接続されていない。【００２２】
これにより、左メインフレーム及び右メインフレームに対し、部品の配置の設計自由度を向上できる。【００２３】
他の観点によれば、本発明のストラドルドビークルは、以下の構成を含むことが好ましい。前記繊維強化樹脂製左右接続板状部材は、前記前後方向において、少なくとも一部が、前記左メインフレーム、前記右メインフレーム、前記左サスペンション支持部及び前記右サスペンション支持部のうち、前記前部接続部と前記サスペンション取付部との中間よりも該サスペンション取付部に近い第１領域、または、前記左メインフレーム、前記右メインフレーム、前記左サスペンション支持部及び前記右サスペンション支持部のうち、前記後部接続部と前記サスペンション取付部との中間よりも該サスペンション取付部に近い第２領域に位置する。【００２４】
これにより、サスペンション取付部に近い位置に、剛性部材としての繊維強化樹脂製左右接続板状部材が配置される。よって、サスペンション取付部におけるサスペンションの支持剛性をより向上できる。【００２５】
他の観点によれば、本発明のストラドルドビークルは、以下の構成を含むことが好ましい。前記繊維強化樹脂製左右接続板状部材は、前記前後方向において、前記前後方向における半分以上が、前記左メインフレーム、前記右メインフレーム、前記左サスペンション支持部及び前記右サスペンション支持部のうち、前記前部接続部と前記サスペンション取付部との中間よりも該サスペンション取付部に近い第１領域、または、前記左メインフレーム、前記右メインフレーム、前記左サスペンション支持部及び前記右サスペンション支持部のうち、前記後部接続部と前記サスペンション取付部との中間よりも該サスペンション取付部に近い第２領域に位置する。【００２６】
これにより、サスペンション取付部により近い位置に、剛性部材としての繊維強化樹脂製左右接続板状部材が配置される。よって、サスペンション取付部におけるサスペンションの支持剛性をより向上できる。【００２７】
他の観点によれば、本発明のストラドルドビークルは、以下の構成を含むことが好ましい。前記繊維強化樹脂製左右接続板状部材は、前記前後方向において、前記左メインフレーム、前記右メインフレーム、前記左サスペンション支持部及び前記右サスペンション支持部のうち、前記前部接続部と前記サスペンション取付部との中間よりも該サスペンション取付部に近い第１領域、または、前記左メインフレーム、前記右メインフレーム、前記左サスペンション支持部及び前記右サスペンション支持部のうち、前記後部接続部と前記サスペンション取付部との中間よりも該サスペンション取付部に近い第２領域に位置する。【００２８】
これにより、サスペンション取付部にさらに近い位置に、剛性部材としての繊維強化樹脂製左右接続板状部材が配置される。よって、サスペンション取付部におけるサスペンションの支持剛性をさらに向上できる。【００２９】
他の観点によれば、本発明のストラドルドビークルは、以下の構成を含むことが好ましい。前記繊維強化樹脂製左右接続板状部材は、前記左サスペンション支持部と前記右サスペンション支持部とを接続する。【００３０】
これにより、サスペンション取付部に近い位置に、剛性部材としての繊維強化樹脂製左右接続板状部材が配置される。よって、サスペンション取付部におけるサスペンションの支持剛性を向上できる。【００３１】
他の観点によれば、本発明のストラドルドビークルは、以下の構成を含むことが好ましい。前記繊維強化樹脂製左右接続板状部材は、前記車両を構成する部品の少なくとも一部によって構成されている。【００３２】
これにより、繊維強化樹脂製左右接続板状部材と車両を構成する部品とを兼ねることができる。よって、車両の部品点数を少なくすることができるとともに、他の部品の配置の設計自由度を向上できる。【００３３】
他の観点によれば、本発明のストラドルドビークルは、以下の構成を含むことが好ましい。前記繊維強化樹脂製左右接続板状部材は、箱形の部品の一部によって構成されている。【００３４】
これにより、左メインフレーム及び右メインフレームは、一部が繊維強化樹脂製左右接続板状部材を構成する箱形の部品によって接続される。よって、左メインフレーム及び右メインフレームの剛性を向上できる。【００３５】
他の観点によれば、本発明のストラドルドビークルは、以下の構成を含むことが好ましい。前記繊維強化樹脂製左右接続板状部材は、前記繊維の方向が、前記車両の左右方向である。【００３６】
これにより、繊維強化樹脂製左右接続板状部材によって車両の左右方向に接続された左メインフレーム及び右メインフレームの剛性を向上できる。よって、サスペンションの支持剛性を向上できる。【００３７】
他の観点によれば、本発明のストラドルドビークルは、以下の構成を含むことが好ましい。前記繊維強化樹脂製左右接続板状部材は、前記繊維として、厚み方向に積層された複数の繊維シートを含む。これにより、繊維強化樹脂製左右接続板状部材の強度を向上できる。【００３８】
他の観点によれば、本発明のストラドルドビークルは、以下の構成を含むことが好ましい。前記繊維強化樹脂製左右接続板状部材は、前記車両の左右方向における一方の端部が、前記車両の前後方向または上下方向に離れた少なくとも２箇所で、前記左メインフレーム及び前記左サスペンション支持部の少なくとも一方に接続され、前記車両の左右方向における他方の端部が、前記車両の前後方向または上下方向に離れた少なくとも２箇所で、前記右メインフレーム及び前記右サスペンション支持部の少なくとも一方に接続されている。【００３９】
これにより、繊維強化樹脂製左右接続板状部材を、左メインフレーム及び左サスペンション支持部の少なくとも一方と、右メインフレーム及び右サスペンション支持部の少なくとも一方とに対し、より強固に固定できる。よって、繊維強化樹脂製左右接続板状部材によって、左メインフレーム及び右メインフレームの剛性をより向上できる。しかも、繊維強化樹脂製左右接続板状部材を左メインフレーム及び右メインフレームに対してそれぞれ２箇所以上で固定することにより、左メインフレーム及び右メインフレームの捻り方向の剛性も向上できる。【００４０】
他の観点によれば、本発明のストラドルドビークルは、以下の構成を含むことが好ましい。前記繊維強化樹脂製左右接続板状部材は、前記左メインフレーム及び前記左サスペンション支持部の少なくとも一方、及び、前記右メインフレーム及び前記右サスペンション支持部の少なくとも一方に対し、ボルトによって接続されている。【００４１】
これにより、左メインフレーム及び左サスペンション支持部の少なくとも一方、及び、右メインフレーム及び右サスペンション支持部の少なくとも一方に対し、繊維強化樹脂製左右接続板状部材を着脱自在に接続することができる。【００４２】
本明細書で使用される専門用語は、特定の実施例のみを定義する目的で使用されるのであって、前記専門用語によって発明を制限する意図はない。【００４３】
本明細書で使用される「及び／または」は、一つまたは複数の関連して列挙された構成物のすべての組み合わせを含む。【００４４】
本明細書において、「含む、備える（including）」「含む、備える（comprising）」または「有する（having）」及びそれらの変形の使用は、記載された特徴、工程、要素、成分、及び/または、それらの等価物の存在を特定するが、ステップ、動作、要素、コンポーネント、及び/または、それらのグループのうちの１つまたは複数を含むことができる。【００４５】
本明細書において、「取り付けられた」、「接続された」、「結合された」、及び/または、それらの等価物は、広義の意味で使用され、“直接的及び間接的な”取り付け、接続及び結合の両方を包含する。さらに、「接続された」及び「結合された」は、物理的または機械的な接続または結合に限定されず、直接的または間接的な接続または結合を含むことができる。【００４６】
他に定義されない限り、本明細書で使用される全ての用語（技術用語及び科学用語を含む）は、本発明が属する技術分野の当業者によって一般的に理解される意味と同じ意味を有する。【００４７】
一般的に使用される辞書に定義された用語は、関連する技術及び本開示の文脈における意味と一致する意味を有すると解釈されるべきであり、本明細書で明示的に定義されていない限り、理想的または過度に形式的な意味で解釈されることはない。【００４８】
本発明の説明においては、いくつもの技術および工程が開示されていると理解される。これらの各々は、個別の利益を有し、他に開示された技術の１つ以上、または、場合によっては全てと共に使用することもできる。【００４９】
したがって、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。【００５０】
本明細書では、本発明に係るストラドルドビークルの実施形態について説明する。【００５１】
以下の説明では、本発明の完全な理解を提供するために多数の具体的な例を述べる。しかしながら、当業者は、これらの具体的な例がなくても本発明を実施できることが明らかである。【００５２】
よって、以下の開示は、本発明の例示として考慮されるべきであり、本発明を以下の図面または説明によって示される特定の実施形態に限定することを意図するものではない。【００５３】
［着脱自在の定義］
本明細書において、着脱自在とは、部材同士が取り外し可能な状態で接続されることを意味する。よって、部材同士を取り外し可能であれば、ボルト締結以外にも、嵌合、接着、溶接及び溶着などを含む。【００５４】
［一体に接続の定義］
本明細書において、一体に接続とは、接続される部材同士が、該部材同士を接続する接続部分とともに一体で形成されている構成を意味する。【００５５】
［直線的に接続の定義］
本明細書において、直線的に接続とは、複数の部材を直線状に延びる接続部材によって接続する構成だけでなく、左右方向から見て、前記接続部材が前記複数の部材に重なっている構成も含む。【００５６】
［板状部材の定義］
本明細書において、板状部材とは、平板の部材だけでなく、板によって構成された部材も含む。また、板状部材には、枠状の部材、バー状の部材、複数の棒状の部材を軸線が平行になるように並べることによって得られる集合体なども含む。すなわち、板状部材とは、厚みよりも幅が大きく、且つ、複数の部材を接続可能な部材を意味する。【００５７】
［繊維方向の定義］
本明細書において、繊維方向とは、繊維の長手方向を意味する。繊維を用いてシート状に形成された繊維シートでは、該繊維シートに含まれる繊維の長手方向が、繊維方向に対応する。繊維が交差するように配置されているシート状の部材の場合には、交差する繊維のそれぞれの方向を、繊維方向と呼ぶ。【００５８】
［ストラドルドビークルの定義］
本明細書において、ストラドルドビークルとは、乗員がシートを跨いだ状態で該シートに着座する車両である。よって、ストラドルドビークルには、二輪車はもちろんのこと、乗員がシートを跨いだ状態で該シートに着座する車両であれば、三輪車及び四輪車など、他の車両も含む。また、ストラドルドビークルには、スクータータイプの車両も含む。
【発明の効果】
【００５９】
本発明の一実施形態に係るストラドルドビークルによれば、サスペンションの支持剛性を確保しつつ、車両における部品の配置の設計自由度を高めることができる。
【図面の簡単な説明】
【００６０】
【図１】図１は、本発明の実施形態１に係る車両の左側面図である。
【図２】図２は、車両の概略構成を示す左側面図、及びメインフレームに接続部材を取り付けた状態を上方から見た上面図である。
【図３】図３は、メインフレームの概略構成を示す斜視図である。
【図４】図４は、メインフレームに接続部材を取り付けた状態を上方から見た上面図である。
【図５】図５は、メインフレームに接続部材を取り付けた状態を左方から見た左側面図である。
【図６】図６は、実施形態２に係る車両の接続部材をメインフレームに取り付けた状態を示す図４相当図である。
【図７】図７は、実施形態２に係る車両の接続部材をメインフレームに取り付けた状態を示す図５相当図である。
【図８】図８は、図６におけるＶＩＩＩ−ＶＩＩＩ線断面図である。
【図９】図９は、図６におけるＩＸ−ＩＸ線断面図である。
【図１０】図１０は、その他の実施形態に係る車両のメインフレームに接続部材を取り付けた状態を後方から見た図である。
【発明を実施するための形態】
【００６１】
以下で、各実施形態について、図面を参照しながら説明する。各図において、同一部分には同一の符号を付して、その同一部分の説明は繰り返さない。なお、各図中の構成部材の寸法は、実際の構成部材の寸法及び各構成部材の寸法比率等を忠実に表したものではない。
【００６２】
以下、図中の矢印Ｆは、車両の前方向を示す。図中の矢印Ｕは、車両の上方向を示す。図中の矢印Ｒは、車両の右方向を示す。図中の矢印Ｌは、車両の左方向を示す。また、前後左右の方向は、それぞれ、車両を運転する乗員から見た場合の前後左右の方向を意味する。
【００６３】
（実施形態１）
＜全体構成＞
図１は、実施形態１に係る車両１の全体構成の概略を示す側面図である。図２は、車両の概略構成を示す左側面図、及びメインフレームに接続部材を取り付けた状態を上方から見た上面図である。図１及び図２を参照して、車両１の概略構成を説明する。
【００６４】
車両１は、例えば、自動二輪車であり、車体２と、前輪３と、後輪４（車輪）とを備える。車体２は、タンク５と、ハンドル６と、シート７と、パワーユニット８と、リアサスペンション９と、車体フレーム１０と、リアアーム１４とを含む。
【００６５】
車体フレーム１０は、タンク５、ハンドル６、シート７、パワーユニット８、リアサスペンション９及びリアアーム１４等の各構成部品を支持する。リアアーム１４は、後端部で後輪４を回転可能に支持しつつ、リアサスペンション９を介して車体フレーム１０に支持されている。
【００６６】
車体フレーム１０は、ヘッドパイプ１１と、メインフレーム１２（車体フレーム）と、リアフレーム１３とを有する。
【００６７】
ヘッドパイプ１１は、車両１の前部に位置し、ハンドル６に接続されたステアリングシャフト６ａを回転可能に支持する。ヘッドパイプ１１は、メインフレーム１２の前端部に接続されている。
【００６８】
図２及び図３に示すように、メインフレーム１２は、ヘッドパイプ１１から車両後方に向かって延びるように、ヘッドパイプ１１に接続されている。メインフレーム１２は、左メインフレーム２０と、右メインフレーム３０とを有する。左メインフレーム２０及び右メインフレーム３０は、それぞれ、車両前後方向に延びる板状に形成されている。
【００６９】
詳しくは、本実施形態では、左メインフレーム２０は、ヘッドパイプ１１から後方且つ下方に向かって延びる左メインフレーム前部２１と、左メインフレーム前部２１の後端部から下方に向かって延びる左メインフレーム後部２２とを有する。また、右メインフレーム３０は、ヘッドパイプ１１から後方且つ下方に向かって延びる右メインフレーム前部３１と、右メインフレーム前部３１の後端部から下方に向かって延びる右メインフレーム後部３２とを有する。
【００７０】
左メインフレーム２０及び右メインフレーム３０の前端部は、それぞれ、ヘッドパイプ１１に接続されている。すなわち、左メインフレーム２０における左メインフレーム前部２１の前端部と右メインフレーム３０における右メインフレーム前部３１の前端部とは、接続されている。メインフレーム１２は、左メインフレーム前部２１の前端部と右メインフレーム前部３１の前端部とが接続された前部接続部１２ａを有する。
【００７１】
また、左メインフレーム２０における左メインフレーム後部２２の後端部と右メインフレーム３０における右メインフレーム後部３２の後端部とは、左右方向に延びるクロス部材１７によって接続されている。メインフレーム１２は、左メインフレーム後部２２の後端部と右メインフレーム後部３２の後端部とが接続された後部接続部１２ｂを有する。
【００７２】
メインフレーム１２は、前後方向において、前部接続部１２ａと後部接続部１２ｂとの間に、中間部１２ｃを有する。この中間部１２ｃにおいて、左メインフレーム２０と右メインフレーム３０とは、前後方向から見て直線的に且つ一体に接続されていない。すなわち、左メインフレーム２０と右メインフレーム３０とは、前部接続部１２ａ及び後部接続部１２ｂ以外の部分では、前後方向から見て直線的に且つ一体に接続されていない。
【００７３】
よって、メインフレーム１２は、左メインフレーム２０と右メインフレーム３０との間で且つ前後方向の中央部分に、収容空間部１２ｄを有する。この収容空間部１２ｄには、タンク５及び図示しないエアクリーナが配置される。なお、特に図示しないが、タンク５の内部には、タンク本体及びエアクリーナ等が配置されている。
【００７４】
上述のように、左メインフレーム２０と右メインフレーム３０とが、前部接続部１２ａ及び後部接続部１２ｂ以外の部分では、前後方向から見て直線的に且つ一体に接続されていないことにより、部品の配置が制約を受けにくくなる。したがって、メインフレーム１２に対する部品の配置の設計自由度を向上できる。
【００７５】
左メインフレーム２０及び右メインフレーム３０の後部には、リアアーム１４が回転可能に支持されている。すなわち、左メインフレーム後部２２及び右メインフレーム後部３２は、それぞれ、リアアーム１４の前端部の左方及び右方に位置し、リアアーム１４の前端部を回転可能に支持する。
【００７６】
メインフレーム１２は、左メインフレーム２０から後方且つ上方に向かって延びる左サスペンション支持部２５と、右メインフレーム３０から後方且つ上方に向かって延びる右サスペンション支持部３５とを有する。
【００７７】
左サスペンション支持部２５は、前端部が左メインフレーム２０に固定されている。左サスペンション支持部２５は、左メインフレーム前部２１と左メインフレーム後部２２との接続部分から後方且つ上方に向かって延びている。右サスペンション支持部３５は、前端部が右メインフレーム３０に固定されている。右サスペンション支持部３５は、右メインフレーム前部３１と右メインフレーム後部３２との接続部分から後方且つ上方に向かって延びている。左サスペンション支持部２５及び右サスペンション支持部３５は、それらの後端部が互いに左右方向に近づくように、後方且つ上方に向かって延びている。左サスペンション支持部２５の後端部と右サスペンション支持部３５の後端部とは、左右方向に接続されている。
【００７８】
メインフレーム１２は、左サスペンション支持部２５と右サスペンション支持部３５とが接続された後端部に、後方に突出するサスペンション取付部１６を有する。サスペンション取付部１６は、リアサスペンション９の前端部を支持する。詳しくは、サスペンション取付部１６は、左右方向に所定の間隔を空けて並んだ一対の円筒部１６ａを有する。一対の円筒部１６ａは、筒軸方向が左右方向に延びるように配置されている。リアサスペンション９の前端部は、一対の円筒部１６ａに回転可能に接続される。
【００７９】
なお、リアサスペンション９の後端部は、リアアーム１４によって支持されている。すなわち、リアサスペンション９は、メインフレーム１２のサスペンション取付部１６及びリアアーム１４によって支持されている。これにより、後輪４を支持するリアアーム１４に上下方向の荷重が入力された場合、該荷重は、リアサスペンション９を介してメインフレーム１２のサスペンション取付部１６に入力される。
【００８０】
メインフレーム１２には、パワーユニット８及びリアフレーム１３も支持されている。パワーユニット８は、メインフレーム１２の左メインフレーム２０及び右メインフレーム３０の下部に取り付けられている。リアフレーム１３は、メインフレーム１２の左メインフレーム２０及び右メインフレーム３０に対し、左サスペンション支持部２５及び右サスペンション支持部３５よりも後方に取り付けられている。
【００８１】
なお、図３において、符号２０ａ，３０ａは、それぞれ、左メインフレーム２０及び右メインフレーム３０に設けられた、リアフレーム１３の取付部である。また、符号２０ｂ，３０ｂは、それぞれ、左メインフレーム２０及び右メインフレーム３０に設けられた、リアアーム１４の取付部である。さらに、符号２０ｃ，３０ｃは、それぞれ、左メインフレーム２０及び右メインフレーム３０に設けられた、パワーユニット８の取付部である。
【００８２】
図４及び図５に示すように、メインフレーム１２には、左サスペンション支持部２５と右サスペンション支持部３５とを接続する板状の接続部材４０が取り付けられている。既述のように、左サスペンション支持部２５は左メインフレーム２０に接続され、右サスペンション支持部３５は右メインフレーム３０に接続されているため、接続部材４０は、左メインフレーム２０と右メインフレーム３０とを接続する。接続部材４０の詳しい構成については、後述する。
【００８３】
特に図示しないが、リアフレーム１３には、シート７が支持されている。図１に示すように、シート７は、車両１の前後方向の中央部分に設けられている。これにより、乗員は、シート７に跨った状態で、車両１の前部に位置するハンドル６を把持する。
【００８４】
なお、左メインフレーム２０、右メインフレーム３０、リアアーム１４及びリアフレーム１３は、金属材料によって構成されていてもよいし、樹脂が炭素繊維などの繊維で強化された繊維強化樹脂を含む材料によって構成されていてもよい。また、左メインフレーム２０、右メインフレーム３０、リアアーム１４及びリアフレーム１３は、車両１の車体フレームとして機能可能な材料であれば、どのような材料によって構成されていてもよい。
【００８５】
＜接続部材＞
次に、接続部材４０の構成について、図４及び図５を用いて説明する。図４は、接続部材４０が取り付けられたメインフレーム１２を上方から見た図である。図５は、接続部材４０が取り付けられたメインフレーム１２を左方から見た図である。
【００８６】
本実施形態の接続部材４０は、平面視で台形状の板状部材である。接続部材４０は、平面視で台形の一対の底辺のうち長辺が前方に位置するように、メインフレーム１２に取り付けられている。接続部材４０は、左端部が左サスペンション支持部２５に取り付けられ、右端部が右サスペンション支持部３５に取り付けられている。
【００８７】
図４及び図５に示すように、接続部材４０は、左サスペンション支持部２５の一部及び右サスペンション支持部３５の一部を覆うように、左サスペンション支持部２５及び右サスペンション支持部３５に取り付けられている。接続部材４０は、左サスペンション支持部２５と右サスペンション支持部３５とを左右方向に接続する。
【００８８】
接続部材４０は、ボルト４１によって、左サスペンション支持部２５の上部及び右サスペンション支持部３５の上部に取り付けられている。すなわち、接続部材４０は、左サスペンション支持部２５及び右サスペンション支持部３５に、着脱自在に取り付けられている。
【００８９】
詳しくは、接続部材４０の左端部は、前後方向の両端部で、ボルト４１によって左サスペンション支持部２５に接続されている。接続部材４０の右端部は、前後方向の両端部で、ボルト４１によって右サスペンション支持部３５に接続されている。すなわち、接続部材４０は、左右方向の一方の端部が、前後方向に離れた２箇所で左サスペンション支持部２５にボルト４１によって接続されている。また、接続部材４０は、左右方向の他方の端部が、前後方向に離れた２箇所で右サスペンション支持部３５にボルト４１によって接続されている。よって、接続部材４０は、前後左右の４箇所で、ボルト４１によってメインフレーム１２に取り付けられている。これにより、接続部材４０は、メインフレーム１２に対して強固に取り付けられる。そして、上述のように接続部材４０をメインフレーム１２に対して取り付けることにより、接続部材４０によって、メインフレーム１２の左右方向の剛性を向上できるとともに、メインフレーム１２の捻り方向の剛性も向上できる。
【００９０】
本実施形態では、接続部材４０は、左サスペンション支持部２５及び右サスペンション支持部３５に着脱自在に取り付けられている。しかしながら、接続部材４０は、左メインフレーム２０及び右メインフレーム３０に着脱自在に取り付けられてもよい。また、接続部材４０は、左サスペンション支持部２５及び右メインフレーム３０に着脱自在に取り付けられてもよい。また、接続部材４０は、右サスペンション支持部３５及び左メインフレーム２０に着脱自在に取り付けられてもよい。また、接続部材４０は、左メインフレーム２０と、右メインフレーム３０及び右サスペンション支持部３５とに着脱自在に取り付けられてもよい。また、接続部材４０は、右メインフレーム３０と、左メインフレーム２０及び左サスペンション支持部２５とに着脱自在に取り付けられてもよい。さらに、接続部材４０は、左メインフレーム２０及び左サスペンション支持部２５と、右メインフレーム３０及び右サスペンション支持部３５とに着脱自在に取り付けられてもよい。
【００９１】
すなわち、図５に示すように、接続部材４０は、メインフレーム１２の前部接続部１２ａとサスペンション取付部１６との間、または、サスペンション取付部１６とメインフレーム１２の後部接続部１２ｂとの間の取付可能範囲に、着脱自在に取り付けられる。
【００９２】
本実施形態では、接続部材４０は、前後方向において、前記取付可能範囲のうち、前部接続部１２ａとサスペンション取付部１６との中間よりもサスペンション取付部１６に近い第１領域内に位置する。
【００９３】
しかしながら、接続部材４０は、前後方向において、前後方向における半分以上が前記第１領域内に位置していてもよい。接続部材４０は、前後方向において、前後方向における少なくとも一部が前記第１領域内に位置していてもよい。
【００９４】
また、接続部材４０は、前後方向において、前記取付可能範囲のうち、後部接続部１２ｂとサスペンション取付部１６との中間よりもサスペンション取付部１６に近い第２領域内に位置してもよい。さらに、接続部材４０は、前後方向において、前後方向における半分以上が前記第２領域内に位置していてもよい。接続部材４０は、前後方向において、前後方向における少なくとも一部が前記第２領域内に位置していてもよい。
【００９５】
以上のように、接続部材４０を、サスペンション取付部１６に対してより近い位置に配置することにより、接続部材４０によってサスペンション支持剛性をより向上できる。
【００９６】
なお、接続部材４０は、前記取付可能範囲内であれば、前記第１領域及び前記第２領域以外に配置してもよい。
【００９７】
接続部材４０は、樹脂（例えば、エポキシ樹脂、ビニルエステル、フェノール樹脂、ポリアミド、ポリプロピレン、ポリフェニレンサルファイドなど）が炭素繊維を含む繊維シートによって強化された炭素繊維強化樹脂によって構成されている。よって、接続部材４０は、繊維強化樹脂製左右接続板状部材である。なお、前記繊維シートは、厚み方向に複数、積層された状態で、樹脂によって結合されている。
【００９８】
接続部材４０は、前記炭素繊維の繊維方向が左右方向になるように、左サスペンション支持部２５と右サスペンション支持部３５とに取り付けられている。すなわち、接続部材４０は、炭素繊維強化樹脂中の炭素繊維の繊維方向が、平面視で一対の底辺が延びる方向に一致するように形成されている。
【００９９】
なお、接続部材４０は、前記炭素繊維の繊維方向が左右方向になるように、左サスペンション支持部２５と右サスペンション支持部３５とに取り付けられていなくてもよい。すなわち、接続部材４０は、左サスペンション支持部２５と右サスペンション支持部３５とを、前記炭素繊維が延びる方向に接続すればよい。前記炭素繊維が延びる方向に接続するとは、左メインフレーム２０と右メインフレーム３０とが車両１の左右方向に離間した際に接続部材４０に作用する力の方向と、接続部材４０に含まれる繊維強化樹脂内の繊維の延びる方向とのなす角度が、車両１の上方から見て４５度以下になるように、接続部材４０を左サスペンション支持部２５及び右サスペンション支持部３５に接続することを意味する。
【０１００】
このように、接続部材４０を、樹脂が炭素繊維によって強化された炭素繊維強化樹脂によって構成することにより、接続部材４０の軽量化を図りつつ剛性を向上できる。
【０１０１】
次に、メインフレーム１２のサスペンション取付部１６にリアサスペンション９から力が入力された際のメインフレーム１２の変形について説明する。
【０１０２】
既述のように、メインフレーム１２のサスペンション取付部１６にはリアサスペンション９の前端部が取り付けられている。そのため、後輪４に上下方向の衝撃が入力された場合、後輪４を支持するリアアーム１４及びリアサスペンション９を介して、サスペンション取付部１６に荷重が入力される。すなわち、サスペンション取付部１６には、リアサスペンション９から前方且つ上方に力が入力される（図４の斜線付き矢印参照）。
【０１０３】
メインフレーム１２は、左メインフレーム２０及び右メインフレーム３０が、前部接続部１２ａ及び後部接続部１２ｂで接続されているため、前後方向の中央部分に、収容空間部１２ｄを有する。そのため、上述のように、サスペンション取付部１６に対してリアサスペンション９から力が入力された場合、図４に白抜き矢印で示すように、左メインフレーム２０及び右メインフレーム３０は左右方向に離間するように変形を生じる。
【０１０４】
これに対し、上述の接続部材４０によって、左メインフレーム２０と右メインフレーム３０とを接続することにより、上述のようなメインフレーム１２の変形を抑制できる。よって、メインフレーム１２の剛性を向上できるため、メインフレーム１２によるリアサスペンション９の支持剛性を向上できる。
【０１０５】
メインフレーム１２の収容空間部１２ｄ内には、タンク５及びエアクリーナ等の部品が配置される。メインフレーム１２に接続部材が固定された構成では、収容空間部１２ｄ内に各部品を配置しようとすると、該各部品が接続部材と干渉する可能性がある。そうすると、前記接続部材によって、リアサスペンション９及びタンク５などの各部品の配置が制約を受ける可能性がある。
【０１０６】
これに対し、上述のように、接続部材４０をメインフレーム１２に対して着脱自在に取り付けることにより、メインフレーム１２に対して各部品を配置した後に、メインフレーム１２に接続部材４０を取り付けることができる。よって、接続部材４０によって、各部品の配置が制約を受けることを防止できる。また、接続部材４０を板状に形成することにより、接続部材４０をコンパクトに配置することができる。したがって、各部品の配置の設計自由度を向上できる。
【０１０７】
以上より、リアサスペンション９の支持剛性を確保しつつ、車両１における部品の配置の設計自由度を高めることができる。特に、本実施形態のように着脱自在な接続部材４０をメインフレーム１２に取り付けることによって、従来構成のようにクロス部材によってリアサスペンション９の配置が制約を受けることを防止できる。これにより、リアサスペンション９の支持剛性を確保しつつ、リアサスペンション９の配置の設計自由度を高めることができる。
【０１０８】
（実施形態２）
図６は、実施形態２に係る車両の接続部材１４０をメインフレーム１２に取り付けた状態を示す上面図である。図７は、実施形態２に係る車両の接続部材１４０をメインフレーム１２に取り付けた状態を示す左側面図である。この実施形態では、接続部材１４０が、エアクリーナボックス１４５のカバー（車両を構成する部品の一部）である点で、実施形態１の構成とは異なる。以下では、実施形態１と同様の構成には同一の符号を付して説明を省略し、実施形態１と異なる点についてのみ説明する。
【０１０９】
図６及び図７に示すように、メインフレーム１２の左サスペンション支持部２５と右サスペンション支持部３５とを接続する接続部材１４０は、エアクリーナボックス１４５のカバーである。すなわち、接続部材１４０は、メインフレーム１２の剛性を向上するとともに、エアクリーナボックス１４５のカバーとしても機能する。このように、車両を構成する部品の一部（エアクリーナボックス１４５のカバー）が接続部材１４０を兼ねることにより、部品点数を少なくすることができるとともに、他の部品の配置の設計自由度を向上できる。
【０１１０】
特に図示しないが、エアクリーナボックス１４５は、内部に空間を有する箱状であり、前記空間内に車両の外方から空気が流入する。エアクリーナボックス１４５は、上方に向かって開口するエアクリーナボックス本体１４５ａと、該開口を覆う接続部材１４０とを有する。エアクリーナボックス本体１４５ａ内には、取り込んだ空気を清浄化するためのエアクリーナ（図示省略）が収容されている。接続部材１４０は、エアクリーナボックス本体１４５ａの上方に配置され、エアクリーナボックス本体１４５ａの開口を覆う。すなわち、接続部材１４０は、箱形の部品であるエアクリーナボックス１４５の一部によって構成されている。
【０１１１】
図８は、図６におけるＶＩＩＩ−ＶＩＩＩ線断面図である。図９は、図６におけるＩＸ−ＩＸ線断面図である。図６から図９に示すように、接続部材１４０は、平面視で台形状に形成されているとともに、平面視で中央部分が上方に向かって突出した板状の部材である。すなわち、接続部材１４０は、平面視で台形状の上面１４０ａと、上面１４０ａの各辺に接続された４つの側面１４０ｂとを有する。また、接続部材１４０は、左右両端部に、平板状の平板部１４０ｃを有する。
【０１１２】
上述のような接続部材１４０の構成により、エアクリーナボックス１４５の内部の空間の容積を増大できるとともに、接続部材１４０の剛性を平板状の場合に比べて向上できる。特に、接続部材１４０を上述のような形状にすることで、接続部材１４０の外周部分では、前後方向及び左右方向の引張強度を向上できるとともに、上面１４０ａ及び側面１４０ｂによって、捻り方向の強度を向上できる。
【０１１３】
図６に示すように、接続部材１４０は、平面視で台形の一対の底辺のうち長辺が前方に位置するように、メインフレーム１２に取り付けられている。接続部材１４０は、左端部の平板部１４０ｃがボルト４１によって左サスペンション支持部２５に接続され、右端部の平板部１４０ｃがボルト４１によって右サスペンション支持部３５に接続されている。よって、本実施形態の接続部材１４０も、メインフレーム１２に対して着脱自在に取り付けられている。
【０１１４】
本実施形態では、接続部材１４０は、左サスペンション支持部２５及び右サスペンション支持部３５に着脱自在に取り付けられている。しかしながら、接続部材１４０は、左メインフレーム２０及び右メインフレーム３０に着脱自在に取り付けられていてもよい。また、接続部材１４０は、左サスペンション支持部２５及び右メインフレーム３０に着脱自在に取り付けられてもよい。また、接続部材１４０は、右サスペンション支持部３５及び左メインフレーム２０に着脱自在に取り付けられてもよい。また、接続部材１４０は、左メインフレーム２０と、右メインフレーム３０及び右サスペンション支持部３５とに着脱自在に取り付けられてもよい。また、接続部材１４０は、右メインフレーム３０と、左メインフレーム２０及び左サスペンション支持部２５とに着脱自在に取り付けられてもよい。さらに、接続部材１４０は、左メインフレーム２０及び左サスペンション支持部２５と、右メインフレーム３０及び右サスペンション支持部３５とに着脱自在に取り付けられてもよい。
【０１１５】
すなわち、接続部材１４０は、実施形態１の接続部材４０と同様、メインフレーム１２の前部接続部１２ａとサスペンション取付部１６との間、または、サスペンション取付部１６とメインフレーム１２の後部接続部１２ｂとの間の取付可能範囲に、取り付けられる。接続部材１４０の取付位置は、実施形態１における接続部材４０の場合と同様なので、詳しい説明を省略する。
【０１１６】
接続部材１４０は、樹脂（例えば、エポキシ樹脂、ビニルエステル、フェノール樹脂、ポリアミド、ポリプロピレン、ポリフェニレンサルファイドなど。）が炭素繊維を含む繊維シートによって強化された炭素繊維強化樹脂によって構成されている。よって、接続部材１４０は、繊維強化樹脂製左右接続板状部材である。なお、前記繊維シートは、厚み方向に複数、積層された状態で、樹脂によって結合されている。
【０１１７】
接続部材１４０は、実施形態１の接続部材４０と同様、前記炭素繊維の繊維方向が左右方向になるように、左サスペンション支持部２５と右サスペンション支持部３５とに取り付けられている。すなわち、接続部材１４０は、炭素繊維強化樹脂中の炭素繊維の繊維方向が、平面視で一対の底辺が延びる方向に一致するように形成されている。
【０１１８】
なお、接続部材１４０は、前記炭素繊維の繊維方向が左右方向になるように、左サスペンション支持部２５と右サスペンション支持部３５とに取り付けられていなくてもよい。すなわち、接続部材１４０は、左サスペンション支持部２５と右サスペンション支持部３５とを、前記炭素繊維が延びる方向に接続すればよい。前記炭素繊維が延びる方向に接続するとは、左メインフレーム２０と右メインフレーム３０とが車両１の左右方向に離間した際に接続部材１４０に作用する力の方向と、接続部材１４０に含まれる繊維強化樹脂内の繊維の延びる方向とのなす角度が、車両１の上方から見て４５度以下になるように、接続部材１４０を左サスペンション支持部２５及び右サスペンション支持部３５に接続することを意味する。
【０１１９】
なお、エアクリーナボックス本体１４５ａは、接続部材１４０と同様、樹脂が炭素繊維によって強化された炭素繊維強化樹脂によって構成されていてもよいし、他の樹脂または金属材料によって構成されていてもよい。
【０１２０】
以上の構成により、接続部材１４０によって、メインフレーム１２の剛性を向上できる。よって、メインフレーム１２のサスペンション取付部１６におけるリアサスペンション９の支持剛性を向上できる。
【０１２１】
また、接続部材１４０を、上述のように上面１４０ａ及び４つの側面１４０ｂを有する構成にすることで、メインフレーム１２の左右方向の引張強度だけでなく、捻り方向の強度も向上できる。
【０１２２】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０１２３】
前記各実施形態では、接続部材４０は、平板状の部材であり、接続部材１４０は、上面１４０ａ及び４つの側面１４０ｂを有するカバーである。しかしながら、接続部材は、枠状、バー状、棒状の部材を軸線が並行になるように並べることによって得られる集合体などのように、左メインフレーム及び左サスペンション支持部の少なくとも一方と、右メインフレーム及び右サスペンション支持部の少なくとも一方とを接続可能な構成であれば、どのような構成であってもよい。
【０１２４】
前記各実施形態では、接続部材４０，１４０は、ボルト４１によって、左サスペンション支持部２５及び右サスペンション支持部３５に取り付けられている。しかしながら、接続部材は、メインフレームに対して着脱自在であれば、嵌合、接着、溶接などの他の方法によって、左サスペンション支持部及び右サスペンション支持部に取り付けられていてもよい。
【０１２５】
前記各実施形態では、接続部材４０，１４０は、左端部が前後方向に離れた２箇所で、ボルト４１によって左サスペンション支持部２５に接続され、右端部が前後方向に離れた２箇所でボルト４１によって右サスペンション支持部３５に接続されている。しかしながら、接続部材は、前後方向に離れた３箇所以上で、ボルトによって左サスペンション支持部及び右サスペンション支持部に接続されていてもよい。また、接続部材は、上下方向に離れた少なくとも２箇所で、ボルトによって左サスペンション支持部及び右サスペンション支持部に接続されていてもよい。
【０１２６】
前記実施形態１では、接続部材４０は、左サスペンション支持部２５の上部及び右サスペンション支持部３５の上部に取り付けられている。しかしながら、接続部材は、左サスペンション支持部の上部以外の部分及び右サスペンション支持部の上部以外の部分に取り付けられてもよい。すなわち、接続部材は、左サスペンション支持部及び右サスペンション支持部のいずれの部位に取り付けられてもよい。例えば、接続部材は、左サスペンション支持部の下部及び右サスペンション支持部の下部に取り付けられていてもよい。また、接続部材は、左サスペンション支持部において収容空間部１２ｄを構成する部分及び右サスペンション支持部において収容空間部１２ｄを構成する部分に取り付けられていてもよい。
【０１２７】
前記各実施形態では、接続部材４０，１４０は、左サスペンション支持部２５及び右サスペンション支持部３５に直接、接続されている。しかしながら、接続部材は、他の部材を介して、左サスペンション支持部及び右サスペンション支持部に間接的に接続されていてもよい。
【０１２８】
前記各実施形態では、接続部材４０，１４０は、左サスペンション支持部２５と右サスペンション支持部３５とを接続する。しかしながら、接続部材は、左メインフレームと右メインフレームとを接続してもよい。接続部材は、左メインフレームと右サスペンション支持部とを接続してもよい。接続部材は、右メインフレームと左サスペンション支持部とを接続してもよい。接続部材は、左メインフレームと、右メインフレーム及び右サスペンション支持部とを接続してもよい。接続部材は、右メインフレームと、左メインフレーム及び左サスペンション支持部とを接続してもよい。接続部材は、左メインフレーム及び左サスペンション支持部と、右メインフレーム及び右サスペンション支持部とを接続してもよい。
【０１２９】
前記各実施形態では、左サスペンション支持部２５及び右サスペンション支持部３５は、左右方向に接続されている。しかしながら、左サスペンション支持部及び右サスペンション支持部は、左右方向に分離されていてもよい。このような構成のメインフレームに対し、左サスペンション支持部及び右サスペンション支持部を接続するように接続部材を取り付けてもよい。
【０１３０】
例えば、図１０に示すように、左サスペンション支持部２２５と右サスペンション支持部２３５とが分離しているメインフレーム２１２において、左サスペンション支持部２２５及び右サスペンション支持部２３５に、板状の接続部材２４０が取り付けられている。メインフレーム２１２は、左サスペンション支持部２２５の先端部分に設けられた左サスペンション取付部２１６ａと、右サスペンション支持部２３５の先端部分に設けられた右サスペンション取付部２１６ｂとを有する。接続部材２４０は、左サスペンション支持部２２５の下部及び右サスペンション支持部２３５の下部に取り付けられている。これにより、メインフレーム２１２のサスペンション支持剛性を向上できる。
【０１３１】
前記各実施形態では、接続部材４０，１４０は、樹脂が炭素繊維で強化された炭素繊維強化樹脂によって構成されている。しかしながら、接続部材は、樹脂が炭素繊維で強化された炭素繊維強化樹脂を含んでいれば、金属、樹脂、エラストマーなどの他の材料を含んでいてもよい。
【０１３２】
前記各実施形態では、接続部材４０，１４０は、樹脂が炭素繊維で強化された炭素繊維強化樹脂によって構成されている。しかしながら、接続部材を、炭素繊維以外の繊維（例えば、アラミド繊維、ポリエチレン繊維、ガラス繊維など）で樹脂が強化された繊維強化樹脂によって構成してもよい。また、前記各実施形態では、前記樹脂として、エポキシ樹脂、ビニルエステル、フェノール樹脂、ポリアミド、ポリプロピレン、ポリフェニレンサルファイドなどが用いられている。しかしながら、樹脂は、繊維で強化可能な樹脂であれば、他の種類の樹脂であってもよい。
【０１３３】
前記各実施形態では、接続部材４０，１４０は、樹脂が炭素繊維を含む繊維シートによって強化された炭素繊維強化樹脂によって構成されている。しかしながら、接続部材は、繊維を含む繊維シートではなく、編まれていない状態の繊維が用いられた繊維強化樹脂によって構成されていてもよい。また、前記繊維は、所定長さ（例えば１ｍｍ）以上、連続した繊維であってもよいし、不連続繊維であってもよい。なお、前記繊維として不連続繊維を用いる場合、接続部材は、車両１の上方から見て、接続部材に作用する力の方向と４５度以下の角度をなす方向に延びる繊維状または棒状の強化材を含むことが好ましい。前記強化材は、前記接続部材とは別の部材であってもよい。また、前記強化材は、連続した繊維であってもよいし、前記不連続繊維とは別の材料であってもよい。
【０１３４】
前記各実施形態では、接続部材４０，１４０は、炭素繊維強化樹脂に含まれる炭素繊維の方向が左右方向である。しかしながら、接続部材における繊維方向は、該接続部材によってメインフレームの剛性を向上可能な繊維方向であれば、左右方向以外の方向であってもよい。
【０１３５】
前記各実施形態では、接続部材４０，１４０は、樹脂が炭素繊維を含む繊維シートによって強化された炭素繊維強化樹脂によって構成されている。前記繊維シートは、厚み方向に複数、積層された状態で、樹脂によって結合されている。しかしながら、炭素繊維強化樹脂は、炭素繊維によって強化された炭素繊維強化樹脂層と、発泡合成樹脂を含む発泡樹脂層とが厚み方向に積層された複合材料によって構成されていてもよい。この複合材料は、一対の前記炭素繊維強化樹脂層を有し、それらの炭素繊維強化樹脂層の間に、前記発泡樹脂層が配置された材料である。前記複合材料を用いることにより、炭素繊維強化樹脂層のみを用いる場合に比べて、炭素繊維強化樹脂を含む各部材の軽量化を図れるとともに、前記各部材の厚みを容易に変えることができる。なお、前記発泡樹脂層の前記発泡合成樹脂として、振動を吸収可能な樹脂を用いてもよい。
【０１３６】
前記各実施形態では、メインフレーム１２において、後輪４を弾性支持するリアサスペンション９が取り付けられるサスペンション取付部１６，２１６ａ，２１６ｂの近くに、接続部材４０，１４０が取り付けられている。しかしながら、接続部材は、車体フレームにおいて、前輪を弾性支持するフロントサスペンションが取り付けられるサスペンション取付部の近くに取り付けられてもよい。
【０１３７】
前記実施形態２では、接続部材１４０は、エアクリーナボックス１４５のカバーを兼ねている。しかしながら、接続部材は、メインフレームの剛性を向上可能な構成を有していれば、車両の他の部品を兼ねていてもよい。すなわち、接続部材は、車両を構成する部品の少なくとも一部によって構成されていてもよい。
【０１３８】
前記各実施形態では、車両１の例として自動二輪車を説明したが、車両は、前端部及び後端部が接続された左右のフレームを有するストラドルドビークルであれば、二輪車に限らず、三輪車または四輪車など、どのような車両であってもよい。
【符号の説明】
【０１３９】
１  車両
２  車体
３  前輪
４  後輪（車輪）
５  タンク
６  ハンドル
６ａ  ステアリングシャフト
７  シート
８  パワーユニット
９  リアサスペンション（サスペンション）
１０  車体フレーム
１１  ヘッドパイプ
１２  メインフレーム（車体フレーム）
１２ａ  前部接続部
１２ｂ  後部接続部
１２ｃ  中間部
１２ｄ  収容空間部
１３  リアフレーム
１４  リアアーム
１６  サスペンション取付部
２０  左メインフレーム
２１  左メインフレーム前部
２２  左メインフレーム後部
２５  左サスペンション支持部
３０  右メインフレーム
３１  右メインフレーム前部
３２  右メインフレーム後部
３５  右サスペンション支持部
４０、１４０、２４０  接続部材（繊維強化樹脂製左右接続板状部材）
４１  ボルト
１４５  エアクリーナボックス
１４５ａ  エアクリーナボックス本体
２１６ａ  左サスペンション取付部
２１６ｂ  右サスペンション取付部
２２５  左サスペンション支持部
２３５  右サスペンション支持部
【図１】
2018199010.tif 000003
【図２】
2018199010.tif 000004
【図３】
2018199010.tif 000005
【図４】
2018199010.tif 000006
【図５】
2018199010.tif 000007
【図６】
2018199010.tif 000008
【図７】
2018199010.tif 000009
【図８】
2018199010.tif 000010
【図９】
2018199010.tif 000011
【図１０】
2018199010.tif 000012
【国際調査報告】
2018199010.tif 000013
2018199010.tif 000014
2018199010.tif 000015
2018199010.tif 000016